(57)【要約】      （修正有）【課題】ディスプレイデバイスとともに用いられる信号処理デバイスを最適に設定するための方法、システムおよび装置を提供する。【解決手段】ディスプレイサイズを有するディスプレイデバイスとともに用いられる信号処理デバイスを設定する方法であって、該信号処理デバイスと該ディスプレイデバイスとは別々のデバイスであり、該方法は、該ディスプレイデバイスの該ディスプレイサイズを決定するステップと、該決定されたディスプレイサイズに基づいて、該ディスプレイデバイスとともに用いられる該信号処理デバイスを設定するステップとを包含する。【選択図】図２
2005006311.tif 000002
【特許請求の範囲】
【請求項１】
ディスプレイサイズを有するディスプレイデバイスとともに用いられる信号処理デバイスを設定する方法であって、該信号処理デバイスと該ディスプレイデバイスとは別々のデバイスであり、該方法は、
該ディスプレイデバイスの該ディスプレイサイズを決定するステップと、
該決定されたディスプレイサイズに基づいて、該ディスプレイデバイスとともに用いられる該信号処理デバイスを設定するステップと
を包含する、方法。
【請求項２】
前記ディスプレイデバイスは、前記決定されたディスプレイサイズを提供し、前記信号処理デバイスは該ディスプレイデバイスによって提供された該ディスプレイサイズに自動的に応答して設定される、請求項１に記載の方法。
【請求項３】
前記ディスプレイデバイスは、該ディスプレイデバイスの前記ディスプレイサイズを含むディスプレイ情報を含むレジスタを含み、前記決定するステップは、少なくとも、
該レジスタにクエリして、該ディスプレイデバイスの該ディスプレイサイズを決定するステップを
包含する、請求項１に記載の方法。
【請求項４】
前記ディスプレイデバイスのアスペクト比を決定するステップと、
該決定されたアスペクト比に基づいて、該ディスプレイデバイスとともに用いられる前記信号処理デバイスをさらに設定するステップと
をさらに包含する、請求項１に記載の方法。
【請求項５】
前記ディスプレイデバイスは、前記決定されたディスプレイサイズおよびアスペクト比を提供し、前記信号処理デバイスは該ディスプレイデバイスによって提供された該ディスプレイサイズおよびアスペクト比に自動的に応答して設定される、請求項４に記載の方法。
【請求項６】
前記信号処理デバイスは、前記ディスプレイサイズが第１の所定の値以上である場合、前記ディスプレイデバイスの前記アスペクト比とは異なるアスペクト比を有するアクティブイメージ信号を表示する第１のモードに設定され、該ディスプレイサイズが第２の所定の値未満である場合、第２のモードに設定される、請求項４に記載の方法。
【請求項７】
前記第１のモードは、レターボックスフォーマットおよびピラーボックスフォーマットを含む第１の群から選択される第１のフォーマットで、前記アクティブイメージ信号を表示し、前記第２のモードは、ズームフォーマット、全画面フォーマット、および非線形引き延ばしフォーマットを含む第２の群から選択される第２のフォーマットで該アクティブイメージ信号を表示する、請求項６に記載の方法。
【請求項８】
他のディスプレイデバイスのディスプレイサイズを決定するステップと、
該他のディスプレイデバイスの該決定されたディスプレイサイズに基づいて、該他のディスプレイデバイスとともに用いられる前記信号処理デバイスをさらに設定するステップと
をさらに包含する、請求項１に記載の方法。
【請求項９】
アスペクト比およびディスプレイサイズを有するディスプレイデバイスとともに用いられる信号処理デバイスを設定する方法であって、該方法は、
該ディスプレイデバイスの該アスペクト比および該ディスプレイサイズを決定するステップと、
該決定されたアスペクト比およびディスプレイサイズに基づいて、該ディスプレイデバイスとともに用いられる該信号処理デバイスを設定するステップであって、該信号処理デバイスは、該ディスプレイサイズが第１の所定の値以上である場合、該ディスプレイデバイスの該アスペクト比とは異なるアスペクト比を有するアクティブイメージ信号を表示する第１のモードに設定され、該ディスプレイサイズが第２の所定の値未満である場合、第２のモードに設定される、ステップと
を包含する、方法。
【請求項１０】
前記ディスプレイデバイスは、前記決定されたディスプレイサイズおよびアスペクト比を提供し、前記信号処理デバイスは該ディスプレイデバイスによって提供された該ディスプレイサイズおよびアスペクト比に自動的に応答して設定される、請求項９に記載の方法。
【請求項１１】
前記ディスプレイデバイスは、該ディスプレイデバイスの前記ディスプレイサイズおよび前記アスペクト比を含むディスプレイ情報を含むレジスタを含み、前記決定するステップは、少なくとも、
該レジスタにクエリして、該ディスプレイデバイスの該ディスプレイサイズおよびアスペクト比を決定するステップを
包含する、請求項１０に記載の方法。
【請求項１２】
前記第１のモードは、レターボックスフォーマットおよびピラーボックスフォーマットを含む第１の群から選択される第１のフォーマットで、前記アクティブイメージ信号を前記ディスプレイデバイス上に表示し、前記第２のモードは、ズームフォーマット、全画面フォーマット、および非線形引き延ばしフォーマットを含む第２の群から選択される第２のフォーマットで該アクティブイメージ信号を該ディスプレイデバイス上に表示する、請求項９に記載の方法。
【請求項１３】
ディスプレイサイズを有するディスプレイデバイスとともに用いられる信号処理デバイスを自動的に設定するシステムであって、
該ディスプレイデバイスの該ディスプレイサイズを決定する手段と、
該決定されたディスプレイサイズに基づいて該ディスプレイデバイスとともに用いられる該信号処理デバイスを設定する手段と
を備える、システム。
【請求項１４】
前記ディスプレイデバイスは、該ディスプレイデバイスの前記ディスプレイサイズを含むディスプレイ情報を含むレジスタを含み、前記決定する手段は、
該レジスタにクエリして該ディスプレイデバイスの該ディスプレイサイズを決定する手段を
含む、請求項１３に記載のシステム。
【請求項１５】
前記ディスプレイデバイスのアスペクト比を決定する手段と、
該決定されたアスペクト比に基づいて、該ディスプレイデバイスとともに用いられる前記信号処理デバイスをさらに設定する手段と
をさらに備える、請求項１３に記載のシステム。
【請求項１６】
前記信号処理デバイスは、前記ディスプレイサイズが第１の所定の値以上である場合、前記ディスプレイデバイスの前記アスペクト比とは異なるアスペクト比を有するアクティブイメージ信号を表示する第１のモードに設定され、該ディスプレイサイズが第２の所定の値未満である場合、第２のモードに設定される、請求項１５に記載のシステム。
【請求項１７】
ディスプレイデバイスとともに用いられる信号処理デバイスを自動的に設定するテレビ装置であって、
該ディスプレイデバイス上に表示される入力信号を処理するビデオプロセッサと、
該ディスプレイデバイスに関連付けられたディスプレイデバイスデバイス情報を受け取るインターフェースであって、該ディスプレイデバイス情報は、ディスプレイサイズを含む、インターフェースと、
該ビデオプロセッサおよび該インターフェースに接続され、受け取った該ディスプレイデバイス情報から該ディスプレイサイズを決定し、決定された該ディスプレイサイズに応答して該ビデオプロセッサを設定する、コントローラと、
を備える、テレビ装置。
【請求項１８】
前記インターフェースは、前記ディスプレイサイズをユーザから手動で受け取るユーザインターフェースである、請求項１７に記載の装置。
【請求項１９】
前記インターフェースは、前記ディスプレイサイズを自動的に決定するように、前記ディスプレイデバイスとインターフェースすることができる、請求項１７に記載の装置。
【請求項２０】
ディスプレイサイズを有するディスプレイデバイスとともに用いられる信号処理デバイスを設定する方法をインプリメントするように、汎用コンピュータを制御するように設定されるソフトウェアを含む、コンピュータ読み出し可能媒体であって、該信号処理デバイスと該ディスプレイデバイスとは別々のデバイスであり、該方法は、
該ディスプレイデバイスの該ディスプレイサイズを決定するステップと、
決定された該ディスプレイサイズに基づいて、該ディスプレイデバイスとともに用いられる該信号処理デバイスを設定するステップと
を包含する、コンピュータ読み出し可能媒体。
【請求項２１】
前記ディスプレイデバイスは、該ディスプレイデバイスの前記ディスプレイサイズを含むディスプレイ情報を含むレジスタを含み、ソフトウェアにおいてインプリメントされる前記決定するステップは、少なくとも、
該レジスタにクエリして該ディスプレイデバイスの該ディスプレイサイズを決定するステップを
包含する、請求項２０に記載のコンピュータ読み出し可能媒体。
【請求項２２】
前記ソフトウェアにおいてインプリメントされる方法は、
前記ディスプレイデバイスのアスペクト比を決定するステップと、
決定された該アスペクト比に基づいて、該ディスプレイデバイスとともに用いられる前記信号処理デバイスをさらに設定するステップと
をさらに包含する、請求項２０に記載のコンピュータ読み出し可能媒体。
【発明の詳細な説明】
【技術分野】
【０００１】
本発明は、テレビ電子機器、より具体的には、ディスプレイデバイスのディスプレイサイズに基づいて、アクティブイメージ信号をディスプレイデバイス上に表示する方法、システム、および装置に関する。
【背景技術】
【０００２】
４×３のアスペクト比のビデオイメージ（本明細書中、「標準」イメージと呼ぶ）を表示するようにサイズ調整された、標準的なディスプレイデバイス（例えば、モニタ）、および、標準的な４×３のアスペクト比よりも幅広いビデオイメージ（本明細書中、「ワイドスクリーン」イメージと呼ぶ）を表示するようにサイズ調整されたワイドスクリーンディスプレイデバイスを有するテレビシステムが現在利用可能である。現在、標準イメージおよびワイドスクリーンイメージの両方が、公に利用可能である。例えば、テレビ産業は、一般的に、標準アスペクト比を有するテレビ信号を放送し、映画産業は、一般的に、１６×９以上のアスペクト比を有する映画を配給する。
【０００３】
信号処理デバイスは、ディスプレイデバイスによって表示される映像イメージを処理する。しばしば、信号処理デバイスとディスプレイデバイスとは、別々のコンポーネントである。このタイプのシステムにおいて、ビデオディスプレイ上にビデオイメージを最適に表示するために、信号処理デバイスは、映像ディスプレイのアスペクト比を受け取る必要がある。現在、オペレータは、従来のセットアップルーチンの間に、アスペクト比を手動で信号処理デバイスに供給している。供給されたアスペクト比が正確でない場合、信号処理デバイスは、ビデオイメージを、そのビデオイメージが表示される特定のビデオディスプレイに合わせることができない。従って、画質が低下し得る。
【０００４】
いくつかの異なるフォーマットが、ビデオイメージを、そのビデオイメージと異なるアスペクト比を有するディスプレイデバイス上で表示するために、利用可能である。これらのフォーマットには、レター／ピラーボックスフォーマットおよび全画面／ズームフォーマットが含まれる。レター／ピラーボックスフォーマットにおいて、イナクティブ領域（例えば、黒いバー）がアクティブビデオイメージを囲む。標準ディスプレイ上にワイドスクリーンを表示する場合、黒いバーはワイドスクリーンイメージの上および下にある（すなわち、レターボックスフォーマット）。ワイドスクリーンディスプレイ上に標準イメージを表示する場合、黒いバーは標準イメージの左および右にある（すなわち、ピラーボックスフォーマット）。
【発明の開示】
【発明が解決しようとする課題】
【０００５】
全画面フォーマットにおいて、アクティブビデオイメージは、ディスプレイデバイス全体を埋めるように引き延ばされる。アクティブビデオイメージの引き延ばしは、例えば、円が楕円に見えるなどの歪みの原因となる。ズームフォーマットにおいて、アクティブビデオイメージは、ディスプレイデバイス全体を埋めるように拡大される。拡大されたアクティブビデオイメージは、ディスプレイデバイスに適合するように端が切り落とされる。
【０００６】
ディスプレイデバイスと異なるアスペクト比を有するビデオイメージを最適に見るために、ディスプレイデバイスの表示サイズに依存して、異なるフォーマットが必要とされる。例えば、レター／ピラーボックスフォーマットは、大きいディスプレイデバイス、例えば、３２インチの対角線サイズを有するディスプレイデバイスに最適であり得る。これは、これらのディスプレイデバイスが、アクティブイメージの歪みまたは任意の部分の損失なしに、快適に見ることができるアクティブイメージを生成することができるからである。他方、全画面／ズームフォーマットは、より小さいディスプレイデバイス、例えば、１３インチの対角線サイズを有するディスプレイデバイスに最適であり得る。これは、レター／ピラーボックスフォーマットで生成されるアクティブイメージが、快適に見るためには、小さすぎるからである。現在、視聴者は、ディスプレイフォーマットを選択する必要がある。これは、視聴者にとって煩わしく、最適でないフォーマットを選ぶという結果につながり得る。
【０００７】
従って、ディスプレイデバイスとともに用いられる信号処理デバイスを最適に設定するための方法、システムおよび装置が必要とされる。本発明は、特にこの必要性を満たす。
【課題を解決するための手段】
【０００８】
（発明の要旨）
本発明は、別個のディスプレイデバイスとともに用いられる信号処理デバイスを設定する方法、システムおよび装置に関する。上記の必要性は、ディスプレイデバイスのサイズを決定し、決定されたサイズに基づいて、ディスプレイデバイスとともに用いられる信号処理デバイスを設定することによって、満たされる。ディスプレイデバイスのサイズに基づいて、信号処理デバイスを設定することによって、信号処理デバイスは、ディスプレイデバイスと用いられるために最適に設定され得る。
【０００９】
ディスプレイデバイスとともに用いられる信号処理デバイスを設定する方法は、ディスプレイデバイスのディスプレイサイズを決定するステップと、決定されたディスプレイサイズに基づいて、ディスプレイデバイスとともに用いられる信号処理デバイスを設定するステップとを含む。この方法のステップは、汎用コンピュータを制御するように設定された、コンピュータ読み出し可能媒体として、ソフトウェアにおいてインプリメントされ得る。
【００１０】
ディスプレイデバイスとともに用いられる信号処理デバイスを設定するシステムは、ディスプレイデバイスのディスプレイサイズを決定する手段と、決定されたディスプレイサイズに基づいて、ディスプレイデバイスとともに用いられる信号処理デバイスを設定する手段とを含む。
【００１１】
本発明の装置は、ビデオプロセッサ、インターフェース、およびコントローラを含む。ビデオプロセッサは、ディスプレイデバイス上で表示される入力信号を処理する。インターフェースは、ディスプレイサイズを含む、ディスプレイデバイスに関連付けられたディスプレイデバイス情報を受け取る。コントローラは、ビデオプロセッサおよびインターフェースに接続されて、受け取ったディスプレイデバイス情報からディスプレイサイズを決定し、決定されたディスプレイサイズに応答してビデオプロセッサを設定する。
【００１２】
本発明の方法は、ディスプレイサイズを有するディスプレイデバイスとともに用いられる信号処理デバイスを設定する方法であって、該信号処理デバイスと該ディスプレイデバイスとは別々のデバイスであり、該方法は、該ディスプレイデバイスの該ディスプレイサイズを決定するステップと、該決定されたディスプレイサイズに基づいて、該ディスプレイデバイスとともに用いられる該信号処理デバイスを設定するステップとを包含し、それにより上記目的が達成される。
【００１３】
前記ディスプレイデバイスは、前記決定されたディスプレイサイズを提供し、前記信号処理デバイスは該ディスプレイデバイスによって提供された該ディスプレイサイズに自動的に応答して設定されてもよい。
【００１４】
前記ディスプレイデバイスは、該ディスプレイデバイスの前記ディスプレイサイズを含むディスプレイ情報を含むレジスタを含み、前記決定するステップは、少なくとも、該レジスタにクエリして、該ディスプレイデバイスの該ディスプレイサイズを決定するステップを包含してもよい。
【００１５】
前記ディスプレイデバイスのアスペクト比を決定するステップと、該決定されたアスペクト比に基づいて、該ディスプレイデバイスとともに用いられる前記信号処理デバイスをさらに設定するステップとをさらに包含してもよい。
【００１６】
前記ディスプレイデバイスは、前記決定されたディスプレイサイズおよびアスペクト比を提供し、前記信号処理デバイスは該ディスプレイデバイスによって提供された該ディスプレイサイズおよびアスペクト比に自動的に応答して設定されてもよい。
【００１７】
前記信号処理デバイスは、前記ディスプレイサイズが第１の所定の値以上である場合、前記ディスプレイデバイスの前記アスペクト比とは異なるアスペクト比を有するアクティブイメージ信号を表示する第１のモードに設定され、該ディスプレイサイズが第２の所定の値未満である場合、第２のモードに設定されてもよい。
【００１８】
前記第１のモードは、レターボックスフォーマットおよびピラーボックスフォーマットを含む第１の群から選択される第１のフォーマットで、前記アクティブイメージ信号を表示し、前記第２のモードは、ズームフォーマット、全画面フォーマット、および非線形引き延ばしフォーマットを含む第２の群から選択される第２のフォーマットで該アクティブイメージ信号を表示してもよい。
【００１９】
他のディスプレイデバイスのディスプレイサイズを決定するステップと、該他のディスプレイデバイスの該決定されたディスプレイサイズに基づいて、該他のディスプレイデバイスとともに用いられる前記信号処理デバイスをさらに設定するステップとをさらに包含してもよい。
【００２０】
本発明の方法は、アスペクト比およびディスプレイサイズを有するディスプレイデバイスとともに用いられる信号処理デバイスを設定する方法であって、該方法は、該ディスプレイデバイスの該アスペクト比および該ディスプレイサイズを決定するステップと、該決定されたアスペクト比およびディスプレイサイズに基づいて、該ディスプレイデバイスとともに用いられる該信号処理デバイスを設定するステップであって、該信号処理デバイスは、該ディスプレイサイズが第１の所定の値以上である場合、該ディスプレイデバイスの該アスペクト比とは異なるアスペクト比を有するアクティブイメージ信号を表示する第１のモードに設定され、該ディスプレイサイズが第２の所定の値未満である場合、第２のモードに設定される、ステップとを包含し、それにより上記目的が達成される。
【００２１】
前記ディスプレイデバイスは、前記決定されたディスプレイサイズおよびアスペクト比を提供し、前記信号処理デバイスは該ディスプレイデバイスによって提供された該ディスプレイサイズおよびアスペクト比に自動的に応答して設定されてもよい。
【００２２】
前記ディスプレイデバイスは、該ディスプレイデバイスの前記ディスプレイサイズおよび前記アスペクト比を含むディスプレイ情報を含むレジスタを含み、前記決定するステップは、少なくとも、該レジスタにクエリして、該ディスプレイデバイスの該ディスプレイサイズおよびアスペクト比を決定するステップを包含してもよい。
【００２３】
前記第１のモードは、レターボックスフォーマットおよびピラーボックスフォーマットを含む第１の群から選択される第１のフォーマットで、前記アクティブイメージ信号を前記ディスプレイデバイス上に表示し、前記第２のモードは、ズームフォーマット、全画面フォーマット、および非線形引き延ばしフォーマットを含む第２の群から選択される第２のフォーマットで該アクティブイメージ信号を該ディスプレイデバイス上に表示してもよい。
【００２４】
本発明のシステムは、ディスプレイサイズを有するディスプレイデバイスとともに用いられる信号処理デバイスを自動的に設定するシステムであって、該ディスプレイデバイスの該ディスプレイサイズを決定する手段と、該決定されたディスプレイサイズに基づいて該ディスプレイデバイスとともに用いられる該信号処理デバイスを設定する手段とを備え、それにより上記目的が達成される。
【００２５】
前記ディスプレイデバイスは、該ディスプレイデバイスの前記ディスプレイサイズを含むディスプレイ情報を含むレジスタを含み、前記決定する手段は、該レジスタにクエリして該ディスプレイデバイスの該ディスプレイサイズを決定する手段を含んでもよい。
【００２６】
前記ディスプレイデバイスのアスペクト比を決定する手段と、該決定されたアスペクト比に基づいて、該ディスプレイデバイスとともに用いられる前記信号処理デバイスをさらに設定する手段とをさらに備えてもよい。
【００２７】
前記信号処理デバイスは、前記ディスプレイサイズが第１の所定の値以上である場合、前記ディスプレイデバイスの前記アスペクト比とは異なるアスペクト比を有するアクティブイメージ信号を表示する第１のモードに設定され、該ディスプレイサイズが第２の所定の値未満である場合、第２のモードに設定されてもよい。
【００２８】
本発明のテレビ装置は、ディスプレイデバイスとともに用いられる信号処理デバイスを自動的に設定するテレビ装置であって、該ディスプレイデバイス上に表示される入力信号を処理するビデオプロセッサと、該ディスプレイデバイスに関連付けられたディスプレイデバイスデバイス情報を受け取るインターフェースであって、該ディスプレイデバイス情報は、ディスプレイサイズを含む、インターフェースと、該ビデオプロセッサおよび該インターフェースに接続され、受け取った該ディスプレイデバイス情報から該ディスプレイサイズを決定し、決定された該ディスプレイサイズに応答して該ビデオプロセッサを設定する、コントローラとを備え、それにより上記目的が達成される。
【００２９】
前記インターフェースは、前記ディスプレイサイズをユーザから手動で受け取るユーザインターフェースであってもよい。
【００３０】
前記インターフェースは、前記ディスプレイサイズを自動的に決定するように、前記ディスプレイデバイスとインターフェースすることができてもよい。
【００３１】
本発明のコンピュータ読み出し可能媒体は、ディスプレイサイズを有するディスプレイデバイスとともに用いられる信号処理デバイスを設定する方法をインプリメントするように、汎用コンピュータを制御するように設定されるソフトウェアを含む、コンピュータ読み出し可能媒体であって、該信号処理デバイスと該ディスプレイデバイスとは別々のデバイスであり、該方法は、該ディスプレイデバイスの該ディスプレイサイズを決定するステップと、決定された該ディスプレイサイズに基づいて、該ディスプレイデバイスとともに用いられる該信号処理デバイスを設定するステップとを包含し、それにより上記目的が達成される。
【００３２】
前記ディスプレイデバイスは、該ディスプレイデバイスの前記ディスプレイサイズを含むディスプレイ情報を含むレジスタを含み、ソフトウェアにおいてインプリメントされる前記決定するステップは、少なくとも、該レジスタにクエリして該ディスプレイデバイスの該ディスプレイサイズを決定するステップを包含してもよい。
【００３３】
前記ソフトウェアにおいてインプリメントされる方法は、前記ディスプレイデバイスのアスペクト比を決定するステップと、決定された該アスペクト比に基づいて、該ディスプレイデバイスとともに用いられる前記信号処理デバイスをさらに設定するステップとをさらに包含してもよい。
【発明の効果】
【００３４】
本発明により、ディスプレイサイズを有するディスプレイデバイスとともに用いられる信号処理デバイスを設定する方法、システムおよび装置を提供し得、信号処理デバイスは、ディスプレイデバイスのディスプレイサイズを決定し、決定されたディスプレイサイズに基づいて、ディスプレイデバイスとともに用いられる信号処理デバイスを設定することによって設定され得る。
【発明を実施するための最良の形態】
【００３５】
本発明は、以下の詳細な説明を、添付の図面を参照しながら読むことによって最も良好に理解される。図面において、同一の要素は、同一の参照符号を有する。
【００３６】
図１は、本発明による、ビデオシステム１００の例示的な実施形態を表す図である。例示されたビデオシステム１００は、ディスプレイデバイス１０４（例えば、テレビモニタ）とともに用いられるように設定可能な信号処理デバイス１０２を含む。例示的な実施形態において、信号処理デバイス１０２とディスプレイデバイス１０４とは、別々のコンポーネントである。いくつかの実施形態においては、信号処理デバイス１０２は、セットトップボックス（図示せず）内に含まれる一体型受信器／デコーダ（ＩＲＤ）においてインプリメントされる。セットトップボックスは、さらなる回路を含み得る。
【００３７】
例示した信号処理デバイス１０２において、デジタルまたはアナログ入力信号１０６（例えば、テレビ信号）は、チューナ／復調器１０８に付与される。チューナ／復調器１０８は、入力信号１０６をチューニングし、復調して、復調された入力信号１１０を生成する。復調された入力信号１１０は、オンスクリーンディスプレイ（ＯＳＤ）／ビデオプロセッサ１１２に提供される。ＯＳＤ／ビデオプロセッサ１１２は、ビデオインターフェース１１４を介して、ディスプレイデバイス１０４上で表示するために、復調された入力信号１１０を処理する。ＯＳＤ／ビデオプロセッサ１１２は、従来のアナログおよび／またはデジタルテレビ信号処理システムであり得、従来のＯＳＤプロセッサに接続されている音声成分およびビデオ成分を共にデコードし、処理する回路を含む。
【００３８】
ビデオインターフェース１１４は、ＯＳＤ／ビデオプロセッサ１１２からの信号をディスプレイデバイス１０４へと送る。例示的な実施形態において、信号は、従来のビデオ信号ライン（例えば、Ｙ、Ｃｒ、Ｃｂビデオ信号ライン）を用いて、ディスプレイデバイスへと送られる。別の例示的な実施形態において、信号は、Ｄｉｇｉｔａｌ  Ｖｉｄｅｏ  Ｉｎｔｅｒｆａｃｅ  ＤＶＩ（改訂版１．０、１９９９年４月２日付け、Ｄｉｇｉｔａｌ  Ｄｉｓｐｌａｙ  Ｗｏｒｋｉｎｇ  Ｇｒｏｕｐ（ＤＤＷＧ）Ｐｒｏｍｏｔｅｒｓ提供）に記載されているＤＶＩ規格に従って、ＤＶＩなどのデジタルビデオインターフェース（ＤＶＩ）を介して送られる。さらに、ビデオインターフェース１１４は、コントローラ１１６とディスプレイデバイス１０４との間で信号を送る。例示的な実施形態において、コントローラ１１６とディスプレイデバイス１０４との間の信号は、従来のビデオ信号ライン（例えば、Ｙ、Ｃｒ、Ｃｂ）またはＤＶＩラインのうちの一本で送られてもよいし、別の接続を通じて送られてもよい。別の接続が用いられる場合、ビデオインターフェース１１４は、ＯＳＤ／ビデオプロセッサ１１２およびディスプレイデバイス１０４から取り除かれ得る。特定の例示的な実施形態において、ビデオインターフェース１１４は、ディスプレイデバイス１０４とのワイヤレス通信のためのワイヤレスインターフェース（図示せず）を含む。
【００３９】
ディスプレイデバイス１０４は、ＯＳＤ／ビデオプロセッサ１１２からビデオインターフェース１１４を介して受信した、処理済み信号を表示する。例示したディスプレイデバイス１０４は、メモリ１１８を含む。メモリ１１８は、例示的な実施形態において、ディスプレイデバイス１０４と関連付けられた、１つ以上のディスプレイパラメータを格納する。例示的な実施形態において、ディスプレイパラメータは、ディスプレイサイズおよびディスプレイアスペクト比を含む。ディスプレイサイズは、復調された入力信号１１０を表示するために用いられるディスプレイデバイスの物理的な寸法（例えば、ディスプレイの高さ、ディスプレイの幅など）に対応し、メモリ１１８に格納され得る。アスペクト比は、メモリ１１８に格納されていてもよいし、格納されているディスプレイサイズパラメータ（例えば、ディスプレイ幅×ディスプレイ高さ）から導き出されてもよい。特定の例示的な実施形態において、１つ以上のディスプレイパラメータは、型番または通し番号などの、ディスプレイデバイス１０４に関連付けられた情報を含む。いくつかの例示的な実施形態においては、ディスプレイデバイス１０４は、Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ（ＥＤＩＤ）（リリースＡ、改訂版１、２０００年２月９日付け、Ｖｉｄｅｏ  Ｅｌｅｃｔｒｏｎｉｃｓ  Ｓｔａｎｄａｒｄｓ  Ａｓｓｏｃｉａｔｉｏｎ（ＶＥＳＡ）採用)に準拠する。いくつかの実施形態において、ディスプレイデバイス１０４は、ビデオインターフェース１１４とのワイヤレス通信のためのワイヤレスインターフェース（図示せず）を含む。
【００４０】
コントローラ１１６は、チューナ／復調器１０８、ＯＳＤ／ビデオプロセッサ１１２、およびビデオインターフェース１１４を制御する。例示的な実施形態において、コントローラ１１６は、ディスプレイデバイス１０４の表示サイズを決定し、決定されたディスプレイサイズに基づいて、復調された入力信号１１０を表示するようにＯＳＤ／ビデオプロセッサ１１２を設定する。従って、コントローラ１１６は、決定されたディスプレイサイズに基づいて、信号処理デバイス１０２を設定する。いくつかの例示的な実施形態において、コントローラ１１６は、さらに、入力信号内のアクティブイメージのアスペクト比およびディスプレイデバイスのアスペクト比を決定し、決定されたアスペクト比に基づいて、復調された入力信号１１０を表示するようにＯＳＤ／ビデオプロセッサ１１２を設定する。例示的な実施形態において、コントローラ１１６は、ディスプレイデバイス１０４内のメモリ１１８にビデオインターフェース１１４を介してクエリして、ディスプレイデバイス１０４のディスプレイパラメータを決定するように設定される。別の例示的な実施形態において、ユーザは、１つ以上のディスプレイパラメータを、ユーザインターフェース１２０を介して、直接入力し得る。本発明において用いるために適切なコントローラ１１６は、テレビ信号処理技術の当業者であれば、容易に理解する。
【００４１】
図２は、本発明による、ディスプレイデバイス１０４（図１）とともに用いられる、信号処理デバイス１０２（図１）を設定する例示的なステップのフローチャート２００である。処理はブロック２０２において開始され、ブロック２０４において入力信号パラメータが決定される。例示的な実施形態において、入力信号パラメータは、復調された入力信号１１０（図１）内のアクティブイメージのアスペクト比を含む。いくつかの例示的な実施形態において、信号処理デバイスは、復調された入力信号を調べることによって、公知の様態で、アクティブイメージのアスペクト比を自動的に決定する。他のいくつかの例示的な実施形態において、ユーザは、ディスプレイデバイス上のイメージを見ることによってアクティブイメージのアスペクト比を決定する。その後、ユーザは、アスペクト比を、ユーザインターフェース１２０（図１）を通じて信号処理デバイスに提供する。
【００４２】
ブロック２０６において、ディスプレイデバイスパラメータが決定される。例示的な実施形態において、ディスプレイデバイスパラメータは、アスペクト比およびディスプレイデバイス１０４（図１）のディスプレイサイズを含む。例示的な実施形態において、ディスプレイサイズは、鉛直方向寸法、水平方向寸法、対角方向寸法、これらの組合せ、またはサイズを表す実質的にあらゆる様態で表現される。例えば、ディスプレイサイズは、鉛直方向寸法、例えば、２０センチメートルのディスプレイ高さのように表現され得る。
【００４３】
いくつかの実施形態において、信号処理デバイス１０２（図１）は、ディスプレイデバイス１０４（図１）との通信を通じて、自動的に、アスペクト比および／またはディスプレイサイズを決定する。この実施形態によると、信号処理デバイスは、ディスプレイデバイスのアスペクト比および／またはディスプレイサイズを格納するディスプレイデバイス内のメモリ１１８（図１）にクエリする。他のいくつかの例示的な実施形態において、ユーザは、アスペクト比および／またはディスプレイサイズを、ユーザインターフェース１２０（図１）を介して信号処理デバイスに供給する。いくつかの例示的な実施形態において、信号処理デバイス１０２は、ラスターフォーマット、例えば、１０８０Ｉ、４８０Ｉ、４８０Ｐ、または７２０Ｐなどの、ディスプレイデバイスに格納されているか、ユーザによって供給される他の情報から導き出すことによって、アスペクト比を決定する。
【００４４】
他のいくつかの実施形態において、信号処理デバイスは、アスペクト比および／またはディスプレイサイズを取り出すために用いられる、ディスプレイデバイスに関連付けられたインジケータを、ディスプレイデバイスまたはユーザから受け取ることによって、アスペクト比および／またはディスプレイサイズを決定する。例えば、インジケータは、信号処理デバイスが適切なアスペクト比またはディスプレイサイズを取得するために用いる、型番またはディスプレイデバイスに関連付けられた他のこのような識別子であってもよい。この実施例によると、アスペクト比およびディスプレイサイズは、型番と関連付けられ、内部メモリ１２２（図１）またはイントラネット／インターネットを介してアクセス可能な外部データベースに格納され得る。
【００４５】
ブロック２０８において、ブロック２０４において決定された入力信号内のアクティブイメージのアスペクト比と、ブロック２０６において決定されたディスプレイデバイスのアスペクト比とが比較される。アスペクト比が一致する場合、ブロック２１０から、ブロック２１２へと処理が進められる。ブロック２１２において、ディスプレイデバイス１０４（図１）上に全体として表示する場合の公知の様態で、ＯＳＤ／ビデオプロセッサ１１２によって、復調された入力信号１１０（図１）が処理される。処理は、その後、ブロック２１４において終了する。アスペクト比が一致しない場合、処理は、ブロック２１６に進められる。
【００４６】
ブロック２１６において、ディスプレイデバイス１０４（図１）のディスプレイサイズは、１つ以上の所定の値と比較される。例示的な実施形態において、ディスプレイサイズが所定の値以上に大きい場合、ブロック２１８から、ブロック２２０へと処理が進められる。そうでない場合、処理は、ブロック２２２に進められる。例えば、所定の値が２０センチメートルの鉛直方向寸法である場合、ディスプレイサイズの鉛直方向寸法が、２０センチメートル以上である場合、処理は、ブロック２２０に進められる。他方、ディスプレイサイズの鉛直方向寸法が２０センチメートル未満である場合、処理はブロック２２２に進められる。別の例示的な実施形態において、ディスプレイサイズが第１の所定の値以上である場合、ブロック２１８から、ブロック２２０へと処理が進められ、ディスプレイサイズが第２の所定の値未満である場合、ブロック２１８から、ブロック２２２へと処理が進められる。いくつかの実施形態において、第１の所定の値と第２の所定の値とは同じ値である。
【００４７】
ブロック２２０において、所定の値以上のディスプレイサイズについて、信号処理デバイス１０２（図１）は、復調された入力信号１１０（図１）のアクティブイメージを表示する第１のモードにおいて設定される。例示的な実施形態において、第１のモードは、アクティブイメージおよびディスプレイデバイスの決定されたアスペクト比に基づいて、レターボックスまたはピラーボックスディスプレイフォーマットで、アクティブイメージを表示する。レターボックスディスプレイフォーマットは、標準ディスプレイ上に、アクティブイメージの上および下に黒いバーがある状態で、ワイドスクリーンアクティブイメージを全体として表示するように選択される。ピラーボックスディスプレイフォーマットは、ワイドスクリーンディスプレイ上に、アクティブイメージの右および左に黒いバーがある状態で、標準アクティブイメージを全体として表示するように選択される。従って、両方のフォーマットが、ディスプレイデバイス全体よりも小さい部分を利用して、アクティブイメージを表示する。
【００４８】
ブロック２２２において、所定の値未満のディスプレイサイズについて、信号処理デバイスは、アクティブイメージを表示する第２のモードに設定される。例示的な実施形態において、第２のモードは、全画面またはズームディスプレイフォーマットである。上述したように、全画面フォーマットにおいては、アクティブビデオイメージは、ディスプレイデバイス全体を埋めるために引き延ばされ、ズームフォーマットにおいて、アクティブビデオイメージは、ディスプレイデバイス全体を埋めるために拡大される。従って、ディスプレイデバイス全体を利用して、アクティブイメージが表示される。他のフォーマット、例えば、イメージの側面部分がイメージの中央部分よりも大きく歪む、非線形引き延ばしイメージフォーマットなどは当業者に容易に理解される。ユーザが、例えば、第２のモードと関連付けられたディスプレイフォーマットがアクティブイメージを表示するために用いられる、ユーザインターフェース１２０（図１）を介して選択し得ることが考慮される。
【００４９】
いくつかの例示的な実施形態において、２つより多いディスプレイモードが利用され得ることが考慮される。例えば、レター／ピラーボックスフォーマットが、第１の所定の値よりも大きいディスプレイサイズに対して用いられ得、ズームフォーマットが、第１の所定の値未満であり、第２の所定の値よりも大きいディスプレイサイズに対して用いられ、全画面フォーマットが、第２の所定の値未満のディスプレイサイズに対して用いられてもよい。当業者であれば、各種の類似の別の実施形態を容易に理解する。
【００５０】
信号処理デバイス１０２（図１）が第１のディスプレイモードおよび第２のディスプレイモードに設定された後、復調された入力信号１１０（図１）がブロック２１２において処理される。例示的な実施形態において、復調された入力信号は、ディスプレイデバイス１０４（図１）上で表示される信号処理デバイスが設定されている特定のモードに関連付けられたフォーマットで表示されるように、ＯＳＤ／ビデオプロセッサ１１２によって処理される。その後、処理は、ブロック２１４で終了する。
【００５１】
つぎに、図３Ａ〜３Ｅを参照しながら例示的な実施形態を説明する。図３Ａは、信号処理デバイス１０２（図１）によって処理される例示的なワイドスクリーンイメージ３００を示す。例示的なワイドスクリーンイメージ３００は、テキスト３０２（すなわち、「デジタルＴＶ」）を、テキスト３０２の各側面からほぼ等しい間隔が開けられた状態で含む。図３Ｂは、比較的大きい標準ディスプレイデバイス３０４、例えば、２０インチ以上の対角ディスプレイサイズに、レターボックスフォーマットで表示される例示的なワイドスクリーンイメージ３００を示す。表示されるイメージは、アクティブイメージ３００全体と、アクティブイメージ３００の上および下にある黒いバー３０６を含む。図３Ｃは、比較的小さい標準ディスプレイデバイス３０８、例えば、２０インチ未満の対角ディスプレイサイズに、レターボックスフォーマットで表示される例示的なワイドスクリーンを示す。図３Ｄは、比較的大きい標準ディスプレイデバイス３０４にズームフォーマットで表示される例示的なワイドスクリーンイメージ３００を示す。例示的なワイドスクリーンイメージ３００は、拡大され、端が切り落とされており、ディスプレイデバイス３０４全体が、例示的なワイドスクリーンイメージ３００の一部３００ａを表示するように利用されている。図３Ｅは、比較的小さい標準ディスプレイデバイス３００にズームフォーマットで表示される例示的なワイドスクリーンイメージ３００を示す。
【００５２】
図３Ｂおよび３Ｄに示すディスプレイデバイス３０４のサイズが比較的大きいので、例示的なワイドスクリーンイメージ３００は、レターボックスフォーマットまたはズームフォーマットのいずれにおいても、ほとんどの視聴者が快適に見ることができると考えられる。しかし、ズームされる場合、ワイドスクリーンイメージ３００の一部が失われるので、比較的大きなディスプレイデバイス３０４でワイドスクリーンイメージ３００を見るために最適なフォーマットは、レターボックスフォーマットである。他方、図３Ｃおよび３Ｅに示すディスプレイデバイス３０８のサイズが比較的小さいので、例示的なワイドスクリーンイメージ３００は、レターボックスフォーマットで快適に見るためには小さ過ぎる。ワイドスクリーンディスプレイデバイスで標準イメージを表示する最適なフォーマットの選択は、ワイドスクリーンイメージを標準ディスプレイデバイスで表示することについての上記の記載から、当業者であれば容易に理解する。従って、さらに詳細に説明しない。アクティブイメージを異なるディスプレイサイズを有するディスプレイデバイス上で表示する各種の最適なディスプレイフォーマットは、当業者であれば容易に理解する。
【００５３】
図１に戻ると、いくつかの実施形態において、ディスプレイデバイス１０４は、複数のディスプレイデバイスを表す。この実施形態によると、コントローラ１１６は、信号処理デバイス１０２を設定し、ディスプレイデバイスそれぞれのサイズに基づいて、ディスプレイデバイス上で表示するために、入力信号１０６を処理し得る。例えば、コントローラ１１６は、居間にある比較的大きいディスプレイデバイスには、レター／ピラーボックスフォーマットでアクティブイメージを表示し、キッチンにある比較的小さいディスプレイデバイスには、全画面／ズームフォーマットで表示するように、信号処理デバイス１０２を設定し得る。いくつかの例示的な実施形態において、信号処理デバイス１０２は、複数のディスプレイデバイスで同時に表示されるように、入力信号を複数フォーマットで設定することができる。いくつかの例示的な実施形態において、信号処理デバイス１０２は、複数のディスプレイデバイスから選択された１つ以上のディスプレイデバイスで表示されるように、あるフォーマットで入力信号を設定することができる。選択された１つ以上のディスプレイデバイスは、視聴者によって、または、ディスプレイデバイスのうちの１つの近傍で視聴者を検知することなどの他の様態で選択され得る。
【００５４】
本発明は、ディスプレイデバイスのディスプレイサイズに基づいて異なるイメージディスプレイフォーマットで、イメージ信号を表示する信号処理デバイスを設定することに関して説明されてきたが、信号処理デバイスは、ディスプレイサイズに基づいて他のフォーマットで設定されてもよい。例えば、信号処理デバイスは、より小さいディスプレイサイズ用のアクティブイメージと比較すると比較的大きなサイズでテキストを表示し、より大きいディスプレイサイズ用のアクティブイメージと比較すると比較的小さなサイズで、テキストを表示するように、設定され得る。従って、テキストは、特定のディスプレイデバイス上で、そのデバイスのディスプレイサイズに関わらず快適に見ることができるようにサイズ変更され得る。
【００５５】
さらに、本発明は、信号処理デバイス１０２の設定に関して、チューナ／復調器１０８、ＯＳＤ／ビデオプロセッサ１１２、ビデオインターフェース１１４、およびコントローラ１１６が説明されてきたが、本発明が汎用コンピュータのソフトウェアにインプリメントされ得ることも考えられる。この実施形態において、様々なコンポーネントの１つ以上の機能が、汎用コンピュータを制御するソフトウェアにおいてインプリメントされ得る。ソフトウェアは、コンピュータ読み出し可能媒体、例えば、磁気または光ディスク、メモリカード、あるいは、音声周波数、無線周波数、または光搬送波においても実現され得る。
【００５６】
ディスプレイサイズを有するディスプレイデバイスとともに用いられる信号処理デバイスを設定する方法、システムおよび装置が開示される。信号処理デバイスは、ディスプレイデバイスのディスプレイサイズを決定し、決定されたディスプレイサイズに基づいて、ディスプレイデバイスとともに用いられる信号処理デバイスを設定することによって設定される。
【００５７】
本発明は、特定の実施形態を参照しながら説明されてきたが、本発明は、示されている細部に限定されない。反対に、細部に対して、様々な改変が、本発明から逸脱することなく、特許請求の範囲および均等物の範囲内で行われ得る。
【図面の簡単な説明】
【００５８】
【図１】図１は、本発明による、用いられるための例示的な信号処理デバイスのブロック図である。
【図２】図２は、本発明による信号処理デバイスを設定する例示的なステップのフローチャートである。
【図３】図３Ａは、本発明による処理のためのワイドスクリーンイメージを示す図である。図３Ｂは、比較的大きい標準ディスプレイデバイスにレターボックスフォーマットで生成される図３Ａのワイドスクリーンイメージを示す図である。図３Ｃは、比較的小さい標準ディスプレイデバイスにレターボックスフォーマットで生成される図３Ａのワイドスクリーンイメージを示す図である。図３Ｄは、比較的大きい標準ディスプレイデバイスにズームフォーマットで生成される図３Ａのワイドスクリーンイメージを示す図である。図３Ｅは、比較的小さい標準ディスプレイデバイスにズームフォーマットで生成される図３Ａのワイドスクリーンイメージを示す図である。
【符号の説明】
【００５９】
１００  ビデオシステム
１０２  信号処理デバイス
１０４  ディスプレイデバイス
１０６  入力信号
１０８  チューナ／復調器
１１０  復調された入力信号
１１２  オンスクリーンディスプレイ（ＯＳＤ）／ビデオプロセッサ
１１４  ビデオインターフェース
１１６  コントローラ
１２０  ユーザインターフェース
１２２  メモリ
２００  信号処理デバイスを設定するステップのフローチャート
３００  ワイドスクリーンイメージ
【図１】
2005006311.tif 000003
【図２】
2005006311.tif 000004
【図３】
2005006311.tif 000005